(57)【特許請求の範囲】
【請求項１】
保持具を取付けしたい個所に取り付けするための取付け手段を備えた保持具取付け板（１）と、弾発力のある細長平板の上部に前記保持具取付け板（１）に接触当接し且つシート状物類の差込みがし易いように差込みガイドするための突出部をもつ第１差込みガイド部を備えた第１シート状物類差込み保持材とから成り、該第１シート状物類差込み保持材の下部の内側面と前記保持具取付け板（１）の下部の外側面とを合せて固着し、その固着部位を押圧支点とする保持具であって、
前記第１シート状物類差込み保持材の外側面に、第２シート状物類差込み保持材の内側面の第２差込みガイド部が接触当接するように重ねて添え合せたシート状物類差込み保持具。
【請求項２】
保持具を取付けしたい個所に取り付けするための取付け手段を備えた保持具取付け板（１）と、弾発力のある細長平板の上部に前記保持具取付け板（１）に接触当接し且つシート状物類の差込みがし易いように差込みガイドするための突出部をもつ差込みガイド部を備えた第１シート状物類差込み保持材とから成り、該第１シート状物類差込み保持材の下部の内側面と前記保持具取付け板（１）の下部の外側面とを合せて固着し、その固着部位を押圧支点とする前記第１シート状物類差込み保持材の押圧弾発力により、前記シート状物類を差込み保持する保持具であって、  前記保持具取付け板（１）の下部の外側面と前記第１シート状物類差込み保持材，第２シート状物類差込み保持材の下部の内側面との間に当り材（３）を配し、該当り材（３）を介して前記保持具取付け板（１）の下部と前記第１シート状物類差込み保持材，前記第２シート状物類差込み保持材の下部を固着したシート状物類差込み保持具。
【請求項３】
保持具を取付けしたい個所に取り付けするための取付け手段を備えた保持具取付け板（１）と、弾発力のある細長平板の上部に前記保持具取付け板（１）に接触当接し且つシート状物類の差込みがし易いように差込みガイドするための突出部をもつ第１差込みガイド部を備えた第１シート状物類差込み保持材とから成り、  該第１シート状物類差込み保持材の下部の内側面と前記保持具取付け板（１）の下部の外側面とを合せて固着し、その固着部位を押圧支点とする前記第１シート状物類差込み保持材の押圧弾発力により、前記シート状物類を差込み保持し、且つ  前記第１シート状物類差込み保持材の外側面に、第２シート状物類差込み保持材の内側面の第２差込みガイド部が接触当接するように重ねて添え合せたシート状物類差込み保持具であって、  前記保持具取付け板（１）の下部の外側面と前記第１シート状物類差込み保持材，前記第２シート状物類差込み保持材の下部の内側面との間に当り材（３）を配し、該当り材（３）を介して前記保持具取付け板（１）の下部と前記第１シート状物類差込み保持材，前記第２シート状物類差込み保持材の下部を固着したシート状物類差込み保持具。
【請求項４】
前記第１シート状物類差込み保持材及び第２シート状物類差込み保持材として、
中間部を外側に張出して懐をもつ腰バネ部（２ｂ）を形成したものを備えたことを特徴とする請求項１乃至３の何れか一項に記載のシート状物類差込み保持具。
【請求項５】
壁面を呈する平面状の外面に、請求項１乃至４の何れか一項に記載のシート状物類差込み保持具を備えたシート状物類差込み保持器具。
【請求項６】
有底筒体または箱形体の器物の外周面に、請求項１乃至４の何れか一項に記載のシート状物類差込み保持具を備えたシート状物類差込み保持器具。
【発明の詳細な説明】
【発明の詳細な説明】
【技術分野】
【０００１】  本発明は、シート状物類差込み保持具および差込み保持器具に関する。
【背景技術】
【０００２】  従来のメモ挟みにおいては、台板の面上に多数のメモなどを差込み保持するための多段多列のメモ挟持部を備えただけのメモ挟みが案出されている。しかし、従来のメモ挟みにおいては、設置場所などが限定されるので、例えばメモをしたい時に用紙とメモなどを個別に必要な場所に簡単に備えて置くことができないものになっている。このためメモの差込み保持具としては使い勝手の悪いものになっている。【０００３】  また、従来のメモ用紙入りペン立てにおいては、有底筒体の筒内にメモ用紙とペン等の小物類を収納するだけのメモ用紙入りペン立てが案出されている。しかし、この従来のメモ用紙入りペン立てにおいては、有底筒体の外周面に、挟持作用を備えた差込み保持具を備えていないので、例えばメモ用紙とメモを有底筒体の外周面に差立て収納することができないものになっている。このためメモの差込み保持具としては使い勝手の悪いものになっている。【０００４】
【特許文献１】  特開平９−１３１９９０
【特許文献２】  特開２００７−７９２４
【発明の開示】
【発明が解決しようとする課題】
【０００５】  そこで、本発明のシート状物類差込み保持具においては、該保持具を取付けしたい個所に容易に取り付けすることができる取付け手段と、シート状物類の差込み保持をすることができる弾発力を持つ挟持手段を備えたシート状物類差込み保持材から成るシート状物類差込み保持具により、必要とする場所で簡単にシート状物類の差込み保持ができるようにする。また、本発明のシート状物類差込み保持具を、壁面を呈する平面状の外面、または有底筒体や箱形体の外周面に備えたシート状物類差込み保持器具により、例えばメモ用紙やメモなどのシート状物類の差立て収納がどこでも簡単にできるようにする。
【課題を解決するための手段】
【０００６】
保持具を取付けしたい個所に取り付けするための取付け手段を備えた保持具取付け板（１）と、弾発力のある細長平板の上部に前記保持具取付け板（１）に接触当接し且つシート状物類の差込みがし易いように差込みガイドするための突出部をもつ第１差込みガイド部を備えた第１シート状物類差込み保持材とから成り、該第１シート状物類差込み保持材の下部の内側面と前記保持具取付け板（１）の下部の外側面とを合せて固着し、その固着部位を押圧支点とする保持具であって、
前記第１シート状物類差込み保持材の外側面に、第２シート状物類差込み保持材の内側面の第２差込みガイド部が接触当接するように重ねて添え合せたシート状物類差込み保持具を提供する。
【０００７】  保持具を取付けしたい個所に取り付けするための取付け手段を備えた保持具取付け板（１）と、弾発力のある細長平板の上部に前記保持具取付け板（１）に接触当接し且つシート状物類の差込みがし易いように差込みガイドするための突出部をもつ差込みガイド部を備えた第１シート状物類差込み保持材とから成り、該第１シート状物類差込み保持材の下部の内側面と前記保持具取付け板（１）の下部の外側面とを合せて固着し、その固着部位を押圧支点とする前記第１シート状物類差込み保持材の押圧弾発力により、前記シート状物類を差込み保持する保持具であって、  前記保持具取付け板（１）の下部の外側面と前記第１シート状物類差込み保持材，第２シート状物類差込み保持材の下部の内側面との間に当り材（３）を配し、該当り材（３）を介して前記保持具取付け板（１）の下部と前記第１シート状物類差込み保持材，前記第２シート状物類差込み保持材の下部を固着したシート状物類差込み保持具を提供する。【０００８】  保持具を取付けしたい個所に取り付けするための取付け手段を備えた保持具取付け板（１）と、弾発力のある細長平板の上部に前記保持具取付け板（１）に接触当接し且つシート状物類の差込みがし易いように差込みガイドするための突出部をもつ第１差込みガイド部を備えた第１シート状物類差込み保持材とから成り、該第１シート状物類差込み保持材の下部の内側面と前記保持具取付け板（１）の下部の外側面とを合せて固着し、その固着部位を押圧支点とする前記第１シート状物類差込み保持材の押圧弾発力により、前記シート状物類を差込み保持し、且つ  前記第１シート状物類差込み保持材の外側面に、第２シート状物類差込み保持材の内側面の第２差込みガイド部が接触当接するように重ねて添え合せたシート状物類差込み保持具であって、  前記保持具取付け板（１）の下部の外側面と前記第１シート状物類差込み保持材，前記第２シート状物類差込み保持材の下部の内側面との間に当り材（３）を配し、該当り材（３）を介して前記保持具取付け板（１）の下部と前記第１シート状物類差込み保持材，前記第２シート状物類差込み保持材の下部を固着したシート状物類差込み保持具を提供する。【０００９】
前記第１シート状物類差込み保持材及び第２シート状物類差込み保持材として、中間部を外側に張出して懐をもつ腰バネ部（２ｂ）を形成したものを備えたことを特徴とするシート状物類差込み保持具を提供する。
【００１０】  壁面を呈する平面状の外面に、前記請求項１乃至４の何れか一項に記載のシート状物類差込み保持具を備えたシート状物類差込み保持器具を提供する。【００１１】  有底筒体または箱形体の器物の外周面に、前記請求項１乃至４の何れか一項に記載のシート状物類差込み保持具を備えたシート状物類差込み保持器具を提供する。
【発明の効果】
【００１２】  本発明のシート状物類差込み保持具においては、図１から図４に示すようにシート状物類差込み保持具を取付けしたい個所に簡単に取り付けするための取付け手段が備えられているので、どこでもメモや書類の差立て収納などが簡単にできる。また、シート状物類差込み保持材の押圧弾発力により、シート状物類を的確に差込み保持することができる。【００１３】  また、図１から図４に示すように、差込みガイド部により、シート状物類の差込みが容易にできる。また、差込みガイド部の接触当接部の押圧弾発力により差込みしたシート状物類を的確に挟持することができる。また、図３に示すようにシート状物類差込み保持材を重ねて添え合せているので、例えばメモ用紙とメモの分類差込み保持をセットでできる。【００１４】  そして、取付け手段を備えたシート状物類差込み保持材により、例えばＡ４などの書類を掲示したい場合に、従来のような鋲や粘着テープを用いることなく差込み保持が簡単にできる。これにより、書類の抜き差しが簡単にでき、そして、書類の差し替えが簡単にできるので、随時掲載内容の変わる書類の差し替え保持が簡単にできる。【００１５】  また、例えば掲示板面などの適当な個所に例えばＡ４などの書類を掲示したい場合には、それらの書類のサイズに見合った長さの差込み保持具を一個または複数個配置して取り付けすることにより、種々のサイズに対応したシート状物類の差込み保持が簡単にできる。【００１６】  そして、シート状物類差込み保持具の第一の活用例として、図５に示すような要領で、例えば壁面を呈する平面状の外面Ｐの一つである例えば電話機周辺にある器物の外面や、デスク周辺にある器物の外面や、キッチンの冷蔵庫の外面や、部屋の壁面や、掲示板面などの適当な個所に備えることにより、メモや帳票や書類などの便利な差込み保持具として活用できる。【００１７】  また、図５に示すような要領で、例えばファイルの表紙の裏面に備え、ファイリング前の未整理のＡ４の書類等を一時的に差込み保持しておき、後で適時整理してファイリングすることにより効率的な事務処理ができる。【００１８】  また、第二の活用例として、図６に示すような要領で、例えばペンスタンドなどの有底筒形体の器物の外周面に複数個配設することによって、有底筒体の筒内に文房具などの小物類を差立て収納すると共に、その外周面に例えばメモ用紙とメモなどのシート状物類を分類して差立て収納することが簡単にできる。【００１９】  そして、これにより、例えば空き瓶や空き缶または空ペットボトルを輪切りしたものなどを再利用してペンスタンドなどをつくり、その外周面に例えばメモ用紙とメモなどのシート状物類を分類して差立て収納するなどの便利な使い方もできる。【００２０】  また、第三の活用例として、図７に示すような要領で、例えばファイルスタンドなどの箱型体器物のコーナーの外周面に差込み保持具を取り付け、Ａ４の書類をコーナーに添って縦折り状に差立てることによって、書類の折れ曲りなどを生じることなく開いた状態で差立て収納することができる。【００２１】  これにより、例えばファイリング前の未整理のＡ４の書類等をファイルスタンドの外周面に一時的に差込み保持しておき、後で適時整理し���ファイリングすることにより効率的な事務処理ができる。【００２２】  また、上述の種々の活用例において、例えば適当なサイズの裏紙の紙きれなどに小まめに記入したメモの差込み保持がいつでもどこでも簡単にでき、且つ外からいつでも容易に見られるので、適宜必要な場所にメモ差しとして備えて利用することにより、物忘れによる失敗などを少なくすることができる。これにより、家庭や事務所などにおいて、日用必要品のメモ差し立て用具として便利に活用できる。【００２３】  また、これにより、家庭のキッチンやリビング周りにおいて、本日のスーパーの買い物品のメモや、本日のレシピのメモや、本日の予定のメモなどのメモ差し立て用具として便利に活用できる。また、事務所のデスク周りなどにおいて、電話時のメモや、本日の予定のメモなどの手軽なメモ差し立て用具として便利に活用できる。
【発明を実施するための最良の形態】
【００２４】  シート状物類差込み保持具の実施例について図面をもとに説明する。本発明のシート状物類差込み保持具については、その第一の実施例として、図１に示すように、シート状物類差込み保持具を取付けしたい個所に容易に取り付けするための取付け手段の一つとして、例えば両面粘着テープを保持具取付け板１の裏面に備え、取付けしたい個所に手軽に取り付けできるものが好ましい。【００２５】  また、磁石や接着剤や固定具やビスなどにより取り付けする手段も考えられる。また、どこにでも移動して使える移動式のものとして、例えばシート状物類差込み保持具に吊下げ用のひもを備えた吊下げ型のものや、引掛け具を備えた引掛け型のものなども考えられる。また、シート状物類差込み保持具の下にベース板を付けたスタンド型のものなども考えられる。【００２６】  また、図１に示すように、弾発力のある細長平板のシート状物類差込み保持材２またはシート状物類差込み保持材２０またはシート状物類差込み保持材２００の上部内側面に形成した差込みガイド部２ａまたは差込みガイド部２００ａは、シート状物類の差込みおよび抜き取りがし易いように、内側に角突出部または丸型の膨らみ突出部をもつように外側に折り曲げて開いた差込み口の形状を成すものにより、保持具取付け板１に接触当接し、差込みガイドをするとともに、差込みガイド部の接触当接部の押圧弾発力により差込みしたシート状物類を的確に挟持することができるようにしたものが好ましい。【００２７】  なお、差込みガイド部２ａは、図８に示すように、シート状物類の差込みおよび抜き取りがし易いように差込み口の形状を成す山形の角突出部または丸型の膨らみ突出部をもつ小片部品４を前記シート状物類差込み保持材２または前記シート状物類差込み保持材２０または前記シート状物類差込み保持材２００の上部内側に当て添えたものにより、保持具取付け板１に接触当接し、差込みガイドをするとともに、差込みガイド部の接触当接部の押圧弾発力により差込みしたシート状物類を的確に挟持することができるようにしても良い。【００２８】  また、シート状物類差込み保持材の材質については、弾発力のある細長薄板の樹脂板または弾発力のある細長薄板の金属板が好ましい。また、サイズについては、メモや帳票類用の差込み保持具のサイズとしては、それらのサイズに準じたものとして、板厚が０．３ミリから１．５ミリ程度で幅が１０ミリから１００ミリ程度のもので長さが５０ミリから２００ミリ程度のものが好ましい。また、例えばＡ４などの書類用の差込み保持具のサイズとしては、Ａ４などの書類に見合った長さのサイズのものが好ましい。【００２９】  また、図１および図４に示すように、差込みガイド部２ａは、前記保持具取付け板１の表面にシート状物類の複数枚のシート状物類を一枚単位の保持および差込みおよび抜き取りなどがし易い程度の押圧弾発力による挟持押圧で接触当接するように形成し取付けしたものが好ましい。【００３０】  また、図１および図４に示すように、シート状物類差込み保持材の下部の内面側と保持具取付け板の下部の外面側とを固着し、その固着部位を押圧支点とする前記シート状物類差込み保持材の押圧弾発力により、前記差込みガイド部２ａが前���保持具取付け板１の上部に接触当接し、前記差込みガイド部の一線状の接触当接の押圧による線状集中挟持圧により前記シート状物類を的確に差込み保持するものが好ましい。【００３１】  また、第二の実施例として、図２に示すように、腰バネ部２ｂは、シート状物類差込み保持材の中間部を角度または湾曲をもって外側に張出すように孕み出して弾発力のある懐部を形成したものが好ましい。【００３２】  また、図２および図４に示すように、腰バネ部２ｂがシート状物類差込み保持材の中間部を角度または湾曲をもって外側に張出すように孕み出して弾発力のある懐部を形成したことにより、差込みガイド部２ａの線状接触挟持圧を増強したものが好ましい。【００３３】  また、図２および図４に示すように、腰バネ部２ｂがシート状物類差込み保持材の中間部を角度または湾曲をもって外側に張出すように孕み出して弾発力のある懐部を形成したことにより、多数枚のシート状物類を差込みした際に多数枚のシート状物類同士の接触隙間をつくり、抜き差しを容易にしたものが好ましい。【００３４】  また、第三の実施例として、図３に示すように、シート状物類差込み保持材２０の外側面に、該シート状物類差込み保持材２０より少し小さ目の他のシート状物類差込み保持材２００をその差込みガイド部２００ａが接触当接するように重ねて添え合せることにより、例えばメモ用紙類を奥側のシート状物類差込み保持材に差立て収納し、メモしたものを手前側のシート状物類差込み保持材に同時に多重差立て収納するなどの便利な使い方ができるものが好ましい。なお、この実施例において、シート状物類差込み保持材２０を、シート状物類差込み保持材２に置換してもよい。【００３５】  また、第四の実施例として、図４に示すように、保持具取付け板１とシート状物類差込み保持材の下部を、当り材３を介して固着することにより、差込みしたシート状物類の下部が当り材３の上面に当り、固定部の隙間に食い込まないようにしたものが好ましい。また、当り材３の厚みによる下部の懐により差込みしたシート状物類同士の接触によるずれ上がりが生じないようにしたものが好ましい。【００３６】  また、保持具取付け板１とシート状物類差込み保持材２および２０および２００の下部の固着手段については、綴じ具などの固定器具によるかしめ圧着や打ち込み器具による圧着または接着や熔着などが好ましい。また、シート状物類差込み保持具の本体の構成ついては、保持具取付け板１とシート状物類差込み保持材を一体成型とする構造のものも考えられる。【００３７】  また、図６の第二の活用例で示すような、ペンスタンド型のシート状物類差込み保持器具において、例えば空き瓶や空き缶または空ペットボトルを輪切りしたものなどを再利用してペンスタンドなどをつくる場合には、その上部開口部に適当な保護キャップまたは飾りカバー材などを備えることや、また、それらの器の外面側または内面側に適当なデザインなどを印刷したラベル類などを貼り付ける手段を施したものが好ましい。
【図面の簡単な説明】
【００３８】
【図１】本発明による実施例を示すもので、取付け手段を備えた保持具取付け板１と、シート状物類差込み保持材２とから成り、差込みガイド部２ａが保持具取付け板１に接触当接するように保持具取付け板１とシート状物類差込み保持材２の下部を固着したシート状物類差込み保持具の斜視図である。
【図２】本発明による実施例を示すもので、取付け手段を備えた保持具取付け板１と、シート状物類差込み保持材２の中間部を外側に張出して懐をもつ腰バネ部２ｂを形成したシート状物類差込み保持材２０とから成るシート状物類差込み保持具の斜視図である。
【図３】本発明による実施例を示すもので、シート状物類差込み保持材２０の外側面に、他のシート状物類差込み保持材２００の差込みガイド部２００ａが接触当接するように重ねて添え合せたシート状物類差込み保持具の斜視図である。
【図４】シート状物類差込み保持具の上部の差込みガイド部２ａおよび下部の当り材３の断面詳細図である。
【図５】第一の活用例を示すもので、シート状物類差込み保持具を例えば冷蔵庫などの壁面を呈する平面状の外面に備えたシート状物類差込み保持器具の斜視図である。
【図６】第二の活用例を示すもので、シート状物類差込み保持具をペンスタンドなどの有底筒形体の器物の外周面に備えたシート状物類差込み保持器具の斜視図である。
【図７】第三の活用例を示すもので、シート状物類差込み保持具をファイルスタンドなどの箱型体の器物の外周面に備えたシート状物類差込み保持器具の斜視図である。
【図８】シート状物類差込み保持材の上部内側面に差込みガイド部用の小片部品４を取り付けた状態を示す説明図である。
【符号の説明】
【００３９】１  取付け手段を備えた保持具取付け板
２ａ  差込みガイド部
２ｂ  腰バネ部
２  差込みガイド部２ａを形成したシート状物類差込み保持材
２０  差込みガイド部２ａと腰バネ部２ｂを形成したシート状物類差込み保持材
２００  他のシート状物類差込み保持材
３  保持具取付け板とシート状物類差込み保持材との下部の固着部に配した当り材
４  差込みガイド部用の小片部品
Ｔ  シート状物類差込み保持具の取付け手段で、例えば両面粘着テープ
Ｐ  シート状物類差込み保持具を取付けする例えば冷蔵庫などの平面壁の外面
Ｙ  シート状物類差込み保持具を取付けする例えばペンスタンドなどの有底筒形体
Ｈ  シート状物類差込み保持具を取付けする例えばファイルスタンドなどの箱型体
Ｆ  ファイル
Ｓ  シート状物類
【要約】      （修正有）【課題】シート状物類差込み保持具により、必要とする場所で簡単にメモなどのシート状物類の差込み保持ができるようにする。また、該差込み保持具を平面状の外面または有底筒体や箱形体の外周面に備えて、シート状物類の差立て収納が手軽にできるようにする。【解決手段】シート状物類差込み保持具を取付けしたい個所に取り付けするための取付け手段Ｔを備えた保持具取付け板１と、弾発力のある細長平板の上部に前記保持具取付け板に接触当接し且つシート状物類の差込みがし易いようにガイドする差込みガイド部２ａを備えたシート状物類差込み保持材２０または２００から成り、該シート状物類差込み保持材の下部と前記保持具取付け板の下部とを当り材３を介して固着し、その固着部位を押圧支点とする前記シート状物類差込み保持材の押圧弾発力によりシート状物類を差込み保持するシート状物類差込み保持具およびシート状物類差込み保持器具。【選択図】図３【図１】
0005866653.tif 000002
【図２】
0005866653.tif 000003
【図３】
0005866653.tif 000004
【図４】
0005866653.tif 000005
【図５】
0005866653.tif 000006
【図６】
0005866653.tif 000007
【図７】
0005866653.tif 000008
【図８】
0005866653.tif 000009